(57)【特許請求の範囲】
【請求項１】
ベッドの側方の床部に、床蓋にて開閉自在な床開口部を設け、便器装置は床開口部を通して上下方向に移動自在とされ、床下から上昇してくる便器装置によって床蓋が上方に押し開かれて約９０°開いた状態で保持され、且つ、便器装置が下降したときは床蓋は自重で下方に倒れて、便器装置全体が床下に収納された段階で床開口部を塞いで、部屋の床面の一部を構成することを特徴とする昇降便器装置。
【請求項２】
便器装置の便座のベッド側の側部に便座に隣接して、ベッドから便座に乗り移るための乗り移り部を配設したことを特徴とする請求項１記載の昇降便器装置。
【請求項３】
便器装置の下部に足載せ台が設けられ、足載せ台は便器装置の上昇時にベッドが載置された部屋の床面よりも高い位置に移動できるように構成されていることを特徴とする請求項１記載の昇降便器装置。
【請求項４】
便器装置には、便器装置から取り出し自在となった汚物容器が設けられていることを特徴とする請求項１記載の昇降便器装置。
【請求項５】
汚物容器を支持する支持台を設け、支持台にキャスターを取付けたことを特徴とする請求項４記載の昇降便器装置。
【請求項６】
支持台に汚物容器の蓋を出し入れ自在に収納する蓋収納部を設けたことを特徴とする請求項５記載の昇降便器装置。
【請求項７】
便器の上方に回動自在に配置される回動板に便座を一体に設けると共に、便座の外周部分を幅広に形成したことを特徴とする請求項１記載の昇降便器装置。
【請求項８】
便座に設けられる開口部の後部の開口幅を前部の開口幅よりも幅広に形成したことを特徴とする請求項１記載の昇降便器装置。
【請求項９】
便器装置に温水洗浄装置を設けたことを特徴とする請求項１記載の昇降便器装置。
【請求項１０】
便器装置を床下に収納した時に汚物容器内部を消臭する消臭手段を設けたことを特徴とする請求項１記載の昇降便器装置。
【請求項１１】
便器装置を床下に収納した時に汚物容器内部を殺菌する殺菌手段を設けたことを特徴とする請求項１記載の昇降便器装置。
【発明の詳細な説明】
【０００１】
【発明の属する技術分野】
この発明は、ベッドに隣接して配置される昇降便器装置に関するものである。
【０００２】
【従来の技術】
従来より、高齢者とか、身体障害者のように寝室中心に暮らしている人にとっては、ベッドから起きてトイレまで歩いていくことはきわめて負担が大きいものであり、この場合、介護する人が自立できない人をベッドから起こしてトイレまで連れていくようにしているが、トイレが例えば部屋の外部にあるときには、介護人の負担が大きく、途中で倒れたりする危険もある。
【０００３】
また、ポータブルトレイをベッドの近くに設置した場合は、介護人の負担が楽になる反面、トイレを使わないときにはいちいち部屋の外に出しておく必要があり、ポータブルトイレの出し入れに手間がかかり、特に、狭い住宅事情にあってはポータブルトイレの置き場所を確保するのが困難な場合もあり、人目が気になったり、非衛生的になったりするという問題が生じていた。
【０００４】
【発明が解決しようとする課題】
本発明は、上記従来例に鑑みてなされたもので、自立できない人がベッドから便器装置への乗り移る動作を容易にして、介護する人の負担を軽減すると共に、便器装置を床下に収納して部屋内部を衛生的に保つことができ、使用の安全性と使い勝手の良さの両方を満足させることができるようにした昇降便器装置を提供することを目的とする。
【０００５】
【課題を解決するための手段】
上記課題を解決するために、本発明は、ベッド１の側方Ａの床部に、床蓋１８にて開閉自在な床開口部１７を設け、便器装置２は床開口部１７を通して上下方向Ｂに移動自在とされ、床下１１から上昇してくる便器装置２によって床蓋１８が上方に押し開かれて約９０°開いた状態で保持され、且つ、便器装置２が下降したときは床蓋１８は自重で下方に倒れて、便器装置２全体が床下１１に収納された段階で床開口部１７を塞いで、部屋１３の床面１４の一部を構成することを特徴としており、このように構成することで、ベッド１から便器装置２への乗り移り動作を楽に行うことができ、介護人の負担を軽減できる。また、便器装置２を使わないときに床下１１に収納することで、人目が気にならず、床下空間を便器の収納スペースとして有効に活用できると共に、便器装置１をいちいち部屋１３の外に出したりする必要もない。
【０００６】
ここで、上記便器装置２の便座５のベッド１側の側部５ａに便座５に隣接して、ベッド１から便座５に乗り移るための乗り移り部１２を配設するのが好ましく、この場合、乗り移り部１２によって便座５がベッド１から大きく離れた感じがなくなり、上昇した便座５に乗り移る際に不安感を与えることがなく、安心して用を足すことができるようになる。
【０００７】
また、上記便器装置２の下部に足載せ台８が設けられ、足載せ台８は便器装置２の上昇時にベッド１が載置された部屋１３の床面７よりも高い位置に移動できるように構成されているのが好ましく、この場合、足載せ台８を部屋１３の床面７よりも上方に移動させることによって、高さによる不安感を取り除くことができると共に、足載せ台８に足を載せることによって、便座５に坐り易くなり、体のバランスを崩して便座５から落ちる心配もなくなる。
【０００８】
また、上記便器装置２には、便器装置２から取り出し自在となった汚物容器４が設けられているのが好ましく、この場合、汚物容器４を便器装置２から取り出すことによって汚物処理を楽に行うことができる。
また、上記汚物容器４を支持する支持台９を設け、支持台９にキャスター１０を取付けるのが好ましく、この場合、汚物容器４の便器装置２からの取出しをスムーズに行うことができる。
【０００９】
また、上記支持台９に汚物容器４の蓋１４を出し入れ自在に収納する蓋収納部１５を設けるのが好ましく、この場合、汚物容器４の上に蓋１４を被せないときの蓋１４の置き場所を別途確保しなくて済む。
また、上記便器の上方に回動自在に配置される回動板５０に便座５を一体に設けると共に、便座５の外周部分を幅広に形成するのが好ましく、この場合、便座５の外周部分を乗り移り部として利用できるようになる。
【００１０】
また、上記便座５に設けられる開口部１６の後部の開口幅Ｌ１  を前部の開口幅Ｌ２  よりも幅広に形成するのが好ましく、この場合、幅広となっている後側の開口部分１６ａから介護する人が手を入れて、便座５に坐っている人のおしりを容易に拭くことができるようになる。
また、上記便器装置２に温水洗浄装置６を設けるのが好ましく、この場合、快適に便器装置２を使用できるようになる。
【００１１】
また、上記便器装置２を床下１１に収納した時に汚物容器４内部を消臭する消臭手段を設けるのが好ましく、この場合、汚物容器４からの臭気の発生を防止できる。
また、上記便器装置２を床下１１に収納した時に汚物容器４内部を殺菌する殺菌手段を設けるのが好ましく、この場合、汚物容器４を常に衛生的に保つことができる。
【００１２】
【発明の実施の形態】
以下、本発明の実施形態の一例を説明する。
ベッド１の側方Ａには、図１に示すように、ベッド１に隣接して便器装置２が配設されている。この便器装置２は、後述する昇降ユニット２０によって上下移動自在とされると共に、床下１１に収納可能となっている。
【００１３】
ベッド１に隣接した床部には床開口部１７が設けられ、この床開口部１７に開閉自在な床蓋１８が設けられている。便器装置２は床開口部１７を通して上下方向Ｂに移動自在とされ、床下１１への収納状態からベッド１の側方Ａのベッド１に隣接した位置まで上昇した状態に移行できるようになっている。
床蓋１８の一端部には連結レバー１９の上端部が枢着されており、連結レバー１９の下端部は床開口部１７の内側に設けたレバースライド孔部（図示せず）に抜け止め状態でスライド自在に挿入されている。そして、床蓋１８を約９０°開いたときに連結レバー１９の下端部がレバースライド孔部に引っ掛かって抜け止めされることによって、床蓋１８がそれ以上後ろに倒れないようにしてある。図１に示す実施形態では、床蓋１８は、床下１１から上昇してくる便器装置２によって自動的に上方に押し開かれて、垂直姿勢より少し前傾姿勢で保持されるものであり、また、便器装置２が下降したときには、図２に示すように、床蓋１８はその自重で下方に倒れて、便器装置２全体が床下１１に収納された段階で床開口部１７を完全に塞いで、部屋１３の床面１４の一部を構成するものである。
【００１４】
便器装置２は、図３に示すように、部屋１３の床面７よりも高い位置に移動可能な足載せ台８の中央側に載置される便器本体３と、便器本体３から取り出し自在となった汚物容器４（図５）とで主体が構成されている。便器本体３は、汚物容器４を左右及び背後から囲む平面視コ字形のケース部２１と、ケース部２１の後部上面にヒンジ結合された回動板５０と、ケース部２１に取付けられた温水洗浄装置６（図５）とを備えている。
【００１５】
回動板５０の横幅Ｄは、図３に示すように、便器装置２の上端部の横幅ｄよりも幅広に形成されている。この回動板５０の中央部に開口部１６が設けられており、この開口部１６の周辺部分はおしりを乗せて支持する便座５となっている。この開口部１６は、後部の開口幅Ｌ１  が前部の開口幅Ｌ２  よりも幅広に形成されており、この幅広となっている開口部分１６ａ側から手を入れて便座５に坐っている人のおしりを拭くことができるようになっている。また、回動板５０における便座５のベッド１側の側部５ａは乗り移り部１２となっている。この乗り移り部１２は、ベッド１から便座５への乗り移り動作を容易にするためのものであって、必ずしも便座５に一体に設けられている必要はなく、例えばベッド１と便座５との間に乗り移り部を別に設けるようにしてもよいものである。
【００１６】
また、回動板５０の乗り移り部１２が設けられる側部５ａとは反対側の側部には、図３に示すように、温水洗浄装置６等のスイッチ部２４が設けられている。またケース部２１内には温水洗浄装置６に温水を自動供給するためのタンク、ポンプ等からなる自動給水装置（図示せず）が内蔵されている。さらに、スイッチ部２４の近傍位置には、洗浄水を給水するための蓋付き給水口２６と、消臭剤や殺菌剤を注入するための蓋付きの注入口２７と、トイレットペーパー２８用のホルダー２９（図５）とがそれぞれ設けられている。給水口２６からの水はケース部２１内の温水タンク（図示せず）内に溜められる。この温水タンクは、ケース内に一体に内蔵されてもよいが、ケース部２１から取外し自在となったカセット式タンクであってもよい。また注入口２７から注入される消臭剤等はケース部２１内の自動ケミカル剤注入装置（図示せず）に供給され、例えばスイッチ部２４の操作によって一定量の消臭剤や殺菌剤を汚物容器４内に供給できるようになっている。
【００１７】
上記回動板５０の枢支部には、図４に示す便座５の上面を開閉する便座蓋２３が回動レバー２２により回動自在に取付けられている。この便座蓋２３を起立させたときには、前記床蓋１８を起立状態で保持した状態で、便座蓋２３が背後から支持された状態（図１、図３の状態）となり、便座蓋２３を背もたれ部として兼用できるものである。
【００１８】
さらに、便座５の開口部１６の下方には、図５に示すように、バケツ等の汚物容器４が配置されている。この汚物容器４は容器状の支持台９で支持されており、支持台９の底部にはキャスター１０が取付けられており、足載せ台８上を走行させて便器本体３から容易に取り出せるようにしてある。
また、回動板５０の両側の上方には、図３、図６に示すように、一対のアームレスト３０がはね上げ自在に配置されている。一対のアームレスト３０は、前記床蓋１８の裏面の左右両側に凹設されたアームレスト収納凹所３１にそれぞれ収納自在となっている。各アームレスト３０の略中央部は支持バー３２を介してアームレスト収納凹所３１内部に回動自在に支持されている。アームレスト収納凹所３１内の略下半部にはガイドレール３３が設けられており、アームレスト３０の基端部に設けたガイド軸３４がガイドレール３３に沿ってスライド自在に支持されている。そして、アームレスト３０の先端部を図６の矢印方向イに手ではね上げると、アームレスト３０の基端部がガイドレール３３に沿って下方に移動すると同時に、支持バー３２がアームレスト収納凹所３１内に回動して、図６（ａ）のようにアームレスト３０全体がアームレスト収納凹所３１内に収納されるものであり、また、アームレスト３０を前に倒すと、アームレスト３０のガイド軸３４がガイドレール３３の上端部まで移動して、支持バー３２を介してアームレスト３０を水平方向に突出させて保持できるようになっている。
【００１９】
一方、床下１１には、図１に示すように、排気ファン（図示せず）によって便器装置２の臭いを屋外に排気するための排気ダクト３４が設けられていると共に、便器装置２が設置された足載せ台８を上下移動させるための昇降ユニット２０（図７）が設けられている。図１中の１５は支柱部である。
この昇降ユニット２０は、図７に示すように、電動モータ３５で便器装置２を上下移動させる構造となっている。足載せ台８の下面側に固定される上部フレーム３６と床下１１の床スラブ上に固定される下部フレーム３７とがＸ軸形に連結されたリンク片３８，３９を介して連結されている。一方のリンク片３８の上端部３８ａは上部フレーム３６の一端部に回動自在に支持され、下端部３８ｂは下部フレーム３７の他端部側に設けたガイド孔４０に沿って水平方向にスライド支持されている。他方のリンク片３９の上端部３９ａは上部フレーム３６の一端部側に設けたガイド孔４１に沿って水平方向にスライド支持され、下端部３９ｂは下部フレーム３７の他端部に回動自在に支持されている。また、一方のリンク片３８の下端部３８ｂは、床下１１に収納した正逆回転可能な電動モータ３５の回転軸４２に連結されている。本実施形態では、回転軸４２にネジ部を形成し、このネジ部に一方のリンク片３８の下端部３８ｂを螺合させることにより、回転軸４２の正回転時に一方のリンク片３８の下端部３８ｂをガイド孔４１の一端部側から他端部側にスライドさせて、両リンク片３８，３９が同時に起立して便器装置２が上昇するようになっており、また回転軸４２の逆回転により一方のリンク片３８の下端部３８ｂがガイド孔４０の他端部側から一端部側にスライドすることで、両リンク片３８，３９が同時に倒れて便器装置２が下降するようになっている。このようにＸ軸型に連結されたリンク片３８，３９を上下に伸縮させることによって、便座５を備えた回動板５０を水平姿勢に保った状態で、便器装置２全体を上下移動できるものである。なお電動モータ３５のスイッチ操作はベッド１に設置されたリモコン操作器２５で行われる。
【００２０】
しかして、ベッド１側のリモコン操作器２５を操作して、昇降ユニット２０の電動モータ３５を駆動させると、床下１１に収納されている便器装置２が上昇して、ベッド１の側方Ａにベッド１に隣接して配置されるようになる。従って、従来のようにベッド１からいちいち降りてトイレまで歩く必要がなくなり、介護する人の負担を軽減できる。もちろん、自立できない人が介護人なしで、昇降ユニット２０を電動で動かして、自力で便器の使用が可能となる。
【００２１】
また便座５に乗り移る際に、回動板５０のベッド１側の側部５ａには乗り移り部１２が設けられているので、ベッド１から便座５への乗り移り動作に不安感を与えることがなくなる。つまり、回動板５０を汚物容器４よりも幅広にして、そのベッド１側の側部５ａを乗り移り部１２とすることで、ベッド１から便座５への乗り移り動作をスムーズに行えるようになり、介護人の負担を軽減できる。また介護される人にとっても、乗り移り部１２によって便座５がベッド１から大きく離れた感じがなくなり、上昇した便座５に乗り移る際に不安感を与えることがなく、安心して用を足すことができるようになる。また、便座５に乗り移る際に、アームレスト３０は床蓋１８のアームレスト収納凹所３１内に収納されているので、乗り移り動作の途中でアームレスト３０が邪魔にならず、しかもアームレスト３０の２箇所が支持バー３２とガイドレール３３とでそれぞれ支持されているので、アームレスト３０を手で降ろさない限り、急に降りてくる心配がなく、安心して便座５に乗り移ることができ、その後、アームレスト３０を手で降ろしてその上に腕を乗せることによって、用便時の体の安定感が良くなり、そのうえ便座蓋２３を背もたれ部として兼用できるので、用便を快適且つ安全に行えるようになる。さらに、便座５に乗り移る際に、便器装置２の下部に設けた足載せ台８を、部屋１３の床面７よりも高い位置に移動させることによって、便座５に坐り易くなる。ちなみに、足載せ台８を設けない場合は、部屋１３の床面７から便座５までの高さが目立ち易く、高さによる不安感を与えてしまうが、足載せ台８を床面７よりも上方に移動させる構造とすることによって、高さによる不安を取り除くことができると共に、足載せ台８に足を載せることによって、体のバランスを崩して落ちる心配もなくなり、より安全に使用できるようになり、また、通常のトイレを使用する場合のような中腰姿勢をとらなくて済むので、特に高齢者や身体障害者のように足腰の弱った人にとって使い易くなる。
【００２２】
そして、用を足した後で、ケース部２１上面のスイッチ部２４を操作して温水洗浄装置６のポンプを作動させると、温水タンク内の温水（洗浄水）が洗浄ノズルから吐出して、おしりの洗浄が開始され、快適に便器装置２を使用することができる。また、介護人が便座５の幅広となっている後部の開口部分１６ａから手を入れることで、便座５に坐っている人のおしりを容易に拭くことができ、介護がし易くなる。
【００２３】
用便後にはベッド１に戻り、便器装置２を下降させて、床下１１に収納する。このとき、床蓋１８を閉じることで、図２のように床蓋１８が部屋１３の床面７と面一となり、便器を外観上違和感なく床下１１に収納できるようになる。また床蓋１８が部屋１３の床の一部を構成することで、ベッド１の回りの床面７がすっきりしたものとなる。このように、便器装置２を床下１１に収納することによって、便器装置２の収まりがよく、人目が気にならなくなると共に、従来のポータブルトイレのように部屋から出し入れしたり、別に置き場所を確保したりする必要もなくなる。また、床下空間を便器の収納スペースとして有効に活用できるので、部屋内部を衛生的に保つことができる。さらに、便器装置２を床下１１に収納する前に、スイッチ部２４を操作して一定量の消臭剤及び／又は殺菌剤を汚物容器４内部に注入することにより、汚物容器４内からの臭気の漏れを防止できると共に、汚物容器４内も衛生的に保てるようになる。
【００２４】
なお便器装置２を昇降させる手段として、本実施例では電動モータ３５を用いたが、必ずしもこれに限定されるものではなく、例えば油圧シリンダ、或いは歯車機構などの駆動装置を用いてもよいものである。
図８は汚物容器４の支持台９の他の実施形態を示している。この支持台９は、その後部に汚物容器４の蓋５０を出し入れ自在に収納する蓋収納部５１が設けられており、蓋５０を立てて蓋収納部５１内に落とし込んで収納できると共に、蓋５０を上方に引き出して前に倒すことにより汚物容器４の上に被せることができるようになっている。蓋５０によって、汚物容器４からの臭気の漏れを防止できると共に、汚物容器４の使用時又は清掃時には蓋の置き場所を別途確保する必要がなくなり、使い勝手を更に良くすることができる。
【００２５】
【発明の効果】
以上説明したように、本発明のうち請求項１記載の発明は、ベッドの側方の床部に、床蓋にて開閉自在な床開口部を設け、便器装置は床開口部を通して上下方向に移動自在とされ、床下から上昇してくる便器装置によって床蓋が上方に押し開かれて約９０°開いた状態で保持され、且つ、便器装置が下降したときは床蓋は自重で下方に倒れて、便器装置全体が床下に収納された段階で床開口部を塞いで、部屋の床面の一部を構成したから、便器装置を上昇させてベッドの側方にベッドに隣接して便器装置を配設することによって、ベッドから便器装置への乗り移り動作を楽に行うことができる。従って、従来のように自立できない人を介護人がベッドから起こして、トイレまで連れていく必要がなく、一人でも楽に用便が足せるようになるので、介護する人の負担を軽減することができる。また、便器装置を使わないときは床下に収納できるので、人目が気にならず、床下空間を便器の収納スペースとして有効に活用することで、便器をいちいち部屋の外に出したりする必要がなくなり、特に、狭い住宅事情においても部屋内部を衛生的に保つことができる結果、便器の使用の安全性と使い勝手の良さの両方を満足させることができるものである。
【００２６】
また請求項２記載の発明は、請求項１記載の効果に加えて、便器装置の便座のベッド側の側部に便座に隣接して、ベッドから便座に乗り移るための乗り移り部を配設したから、乗り移り部によって便座がベッドから大きく離れた感じがなくなり、上昇した便座に乗り移る際に不安感を与えることがなく、安心して用を足すことができるようになり、昇降式の便器装置を楽にしかも違和感なく使用できるようになる。
【００２７】
また請求項３記載の発明は、請求項１記載の効果に加えて、便器装置の下部に足載せ台が設けられ、足載せ台は便器装置の上昇時にベッドが載置された部屋の床面よりも高い位置に移動できるように構成されているから、足載せ台を部屋の床面よりも上方に移動させることによって、高さによる不安感を取り除くことができると共に、足載せ台に足を載せることによって、便座に坐り易くなり、体のバランスを崩して便座から落ちる心配もなくなり、より安全に使用できるようになる。
【００２８】
また請求項４記載の発明は、請求項１記載の効果に加えて、便器装置には、便器装置から取り出し自在となった汚物容器が設けられているから、汚物容器を便器装置から取り出すことによって汚物処理を楽に行うことができる。
また請求項５記載の発明は、請求項４記載の効果に加えて、汚物容器を支持する支持台を設け、支持台にキャスターを取付けたから、汚物容器の便器装置からの取出しをスムーズに行うことができ、清掃性が一層向上する。
【００２９】
また請求項６記載の発明は、請求項５記載の効果に加えて、支持台に汚物容器の蓋を出し入れ自在に収納する蓋収納部を設けたから、汚物容器の上に蓋を被せないときの蓋の置場を別途確保する必要がなくなる。
また請求項７記載の発明は、請求項２記載の効果に加えて、便器の上方に回動自在に配置される回動板に便座を一体に設けると共に、この便座の外周部分を幅広に形成したから、便座の外周部分を乗り移り部として使用でき、乗り移り部を利用しての乗り移り動作をよりスムーズに行うことができ、使い勝手が更に良くなる。
【００３０】
また請求項８記載の発明は、請求項１記載の効果に加えて、便座に設けられる開口部の後部の開口幅を前部の開口幅よりも幅広に形成したから、幅広の開口部から介護する人が手を入れて、便座に坐っている人のおしりを容易に拭くことができ、介護がし易くなる。
また請求項９記載の発明は、請求項１記載の効果に加えて、便器装置に温水洗浄装置を設けたから、温水洗浄装置によって快適に便器装置を使用できるようになる。
【００３１】
また請求項１０記載の発明は、請求項１記載の効果に加えて、便器装置を床下に収納した時に汚物容器内部を消臭する消臭手段を設けたから、汚物容器からの臭気の発生を防止できる。
また請求項１１記載の発明は、請求項１記載の効果に加えて、便器装置を床下に収納した時に汚物容器内部を殺菌する殺菌手段を設けたから、汚物容器を常に衛生的に保つことができる。
【図面の簡単な説明】
【図１】本発明の実施形態の一例を示す斜視図である。
【図２】同上の床蓋を閉じた状態の斜視図である。
【図３】同上の便器装置の斜視図である。
【図４】（ａ）は便座蓋付き便座の斜視図、（ｂ）〜（ｄ）は便座蓋の開閉動作の説明図である。
【図５】同上の汚物容器を取り出した状態の斜視図である。
【図６】（ａ）はアームレストの使用状態の断面図、（ｂ）はアームレストの収納状態の断面図である。
【図７】（ａ）は昇降ユニットによる便器装置の上昇時の説明図、（ｂ）は床下収納時の説明図である。
【図８】他の実施形態の斜視図である。
【符号の説明】
１  ベッド
２  便器装置
４  汚物容器
５  便座
５ａ  側部
６  温水洗浄装置
７  床面
８  足載せ台
９  支持台
１０  キャスター
１１  床下
１２  乗り移り部
１４  蓋
１５  蓋収納部
Ａ  ベッドの側方
Ｄ  便座の横幅
ｄ  便器装置の横幅
Ｌ１  後部の開口幅
Ｌ２  前部の開口幅
【図１】
0003612979.tif 000002
【図２】
0003612979.tif 000003
【図３】
0003612979.tif 000004
【図４】
0003612979.tif 000005
【図５】
0003612979.tif 000006
【図６】
0003612979.tif 000007
【図７】
0003612979.tif 000008
【図８】
0003612979.tif 000009